【事件の表示】
　特願２０１４−１５２１９４号「遊技台」拒絶査定不服審判事件〔平成２８年３月７日出願公開、特開２０１６−　２９９７８号〕について、次のとおり審決する。
【結　論】
　本件審判の請求は、成り立たない。
【理　由】
第１　手続の経緯 
　本願は平成２６年７月２５日の出願であって、平成２８年８月９日付け拒絶理由通知に対して、同年９月１２日付けで手続補正がなされたところ、平成２９年３月２７日付けで拒絶査定がなされ、これに対して、同年６月２７日付けで拒絶査定不服審判の請求がされるとともに、同日付けで手続補正がなされたものである。 
第２　平成２９年６月２７日にされた手続補正についての補正の却下の決定
［補正の却下の決定の結論］ 
　平成２９年６月２７日にされた手続補正（以下、「本件補正」という。）を却下する。 
［理由］ 
１．本件補正について
　本件補正は、特許請求の範囲の請求項１〜１６の記載を含む補正であり、本件補正により、特許請求の範囲の請求項１は、平成２８年９月１２日付けの手続補正書における
「【請求項１】
　遊技者が操作可能な位置に設けられた操作手段と、
　複数の表示を表示可能な表示手段と、
を備えた遊技台であって、
　前記操作手段は、複数の状態となることが可能とされ、
　前記複数の状態のうちの一つは、第一の状態であり、
　前記複数の状態のうちの一つは、第二の状態であり、
　前記複数の表示のうちの一つは、第一の表示であり、
　前記第一の表示は、前記操作手段に関する表示であり、
　前記第一の表示は、複数の態様で表示可能とされ、
　前記複数の態様のうちの一つは、第一の態様であり、
　前記複数の態様のうちの一つは、第四の態様であり、
　前記第一の態様は、前記第一の状態に応じた態様であり、
　前記第四の態様は、前記第二の状態に応じた態様であり、
　前記第四の態様による前記第一の表示は、前記第一の態様による前記第一の表示よりも大きい表示である、
ことを特徴とする遊技台。」
から、審判請求時に提出された手続補正書（平成２９年６月２７日付け）における 
「【請求項１】
　遊技者が操作可能な位置に設けられた操作手段と、
　複数の表示を表示可能な表示手段と、
を備えた遊技台であって、
　前記操作手段は、複数の状態となることが可能とされ、
　前記複数の状態のうちの一つは、第一の状態であり、
　前記複数の状態のうちの一つは、第二の状態であり、
　前記複数の表示のうちの一つは、第一の表示であり、
　前記第一の表示は、前記操作手段に関する表示であり、
　前記操作手段に関する表示は、前記操作手段を模した表示（以下、「操作手段表示」という。）を含む表示であり、
　前記操作手段に関する表示は、前記操作手段の操作を促す文字列を含む表示であり、
　前記第一の表示は、複数の態様で表示可能とされ、
　前記複数の態様のうちの一つは、第一の態様であり、
　前記複数の態様のうちの一つは、第四の態様であり、
　前記第一の態様は、前記第一の状態に応じた態様であり、
　前記第四の態様は、前記第二の状態に応じた態様であり、
　前記第四の態様による前記第一の表示は、前記第一の態様による前記第一の表示よりも大きい表示であ
り、
　或る演出において前記第一の態様による前記第一の表示が表示される場合があり、
　前記或る演出において前記第四の態様による前記第一の表示が表示される場合があり、
　前記第一の態様による前記第一の表示における前記操作手段の操作を促す文字列と前記第四の態様による該第一の表示における該操作手段の操作を促す文字列は、異なる文字列である、
ことを特徴とする遊技台。」（以下「補正後請求項１」という。）
に補正された（下線は、補正箇所を明示するために当審にて付した。）。
２．補正の適否 
（１）上記補正のうち、補正前請求項１に「前記操作手段に関する表示は、前記操作手段を模した表示（以下、「操作手段表示」という。）を含む表示であり」なる事項を加入した補正は、前記補正前請求項１に記載された発明特定事項である「第一の表示」としての「前記操作手段に関する表示」について限定するものであるから、特許法第１７条の２第５項第２号の特許請求の範囲の減縮を目的とするものと認められる。
　また、当該限定した事項は、本願の願書に最初に添付した明細書及び図面（以下「当初明細書等」という。）の【０２１１】及び図２２ほかに記載された事項であるから、当該補正は、本願の願書に最初に添付した明細書、特許請求の範囲又は図面（以下、「当初明細書等」という。）の記載の範囲内においてしたものである。
（２）上記補正のうち、補正前請求項１に「前記操作手段に関する表示は、前記操作手段の操作を促す文字列を含む表示であり」なる事項を加入した補正は、前記補正前請求項１に記載された発明特定事項である「第一の表示」としての「前記操作手段に関する表示」について限定するものであるから、特許法第１７条の２第５項第２号の特許請求の範囲の減縮を目的とするものと認められる。
　また、当該限定した事項は、当初明細書等の【０２１１】及び図２２ほかに記載された事項であるから、当該補正は当初明細書等の記載の範囲内においてしたものである。
　
（３）上記補正のうち、補正前請求項１に「或る演出において前記第一の態様による前記第一の表示が表示される場合があり、／　前記或る演出において前記第四の態様による前記第一の表示が表示される場合があり」なる事項を加入した補正は、前記補正前請求項１に記載された発明特定事項である「第一の表示」の「第一の態様」及び「第四の態様」について、それらが表示される場合について限定したものであるから、特許法第１７条の２第５項第２号の特許請求の範囲の減縮を目的とするものと認められる。
　また、当該限定した事項は、当初明細書等の【０２１１】〜【０２１２】及び図２２ほかに記載された事項であるから、当該補正は当初明細書等の記載の範囲内においてしたものである。
（４）上記補正のうち、補正前請求項１に「前記第一の態様による前記第一の表示における前記操作手段の操作を促す文字列と前記第四の態様による該第一の表示における該操作手段の操作を促す文字列は、異なる文字列である」なる事項を加入した補正は、前記補正前請求項１に記載された発明特定事項である「前記第一の態様による前記第一の表示」及び「前記第四の態様による前記第一の表示」について、それらの表示内容を限定したものであるから、特許法第１７条の２第５項第２号の特許請求の範囲の減縮を目的とするものと認められる。
　また、当該限定した事項は、当初明細書等の【０２１１】〜【０２１２】、図２１、及び図２２に記載された事項であるから、当該補正は当初明細書等の記載の範囲内においてしたものである。
（５）また、補正前請求項１に記載された発明と補正後請求項１に記載される発明の産業上の利用分野及び解決しようとする課題が同一である。 
　よって、上記（１）〜（５）のとおり、本件補正は、特許法第１７条の２第５項第２号に掲げる特許請求の範囲の減縮を目的とするものに該当し、新規事項を追加するものではない。 
３．本件補正発明の独立特許要件についての検討 
　そこで、本件補正後の特許請求の範囲の請求項１〜１６に係る発明は、その請求項１〜１６に記載された事項により特定されるものと認められるところ、その請求項１に係る発明（以下「本件補正発明」という。）が特許出願の際独立して特許を受けることができるものであるか（特許法第１７条の２第６項において準用する同法第１２６条第７項の規定に適合するか）について以下に検討する。 
（１）本件補正発明について 
　本件補正発明は、上記１．に示した次のとおりのものである（Ａ〜Ｓは、分説のため当審にて付与した。） 
「Ａ　遊技者が操作可能な位置に設けられた操作手段と、
Ｂ　複数の表示を表示可能な表示手段と、を備えた遊技台であって、
Ｃ　前記操作手段は、複数の状態となることが可能とされ、
Ｄ　前記複数の状態のうちの一つは、第一の状態であり、
Ｅ　前記複数の状態のうちの一つは、第二の状態であり、
Ｆ　前記複数の表示のうちの一つは、第一の表示であり、
Ｇ　前記第一の表示は、前記操作手段に関する表示であり、
Ｈ　前記操作手段に関する表示は、前記操作手段を模した表示（以下、「操作手段表示」という。）を含む表示であり、
Ｉ　前記操作手段に関する表示は、前記操作手段の操作を促す文字列を含む表示であり、
Ｊ　前記第一の表示は、複数の態様で表示可能とされ、
Ｋ　前記複数の態様のうちの一つは、第一の態様であり、
Ｌ　前記複数の態様のうちの一つは、第四の態様であり、
Ｍ　前記第一の態様は、前記第一の状態に応じた態様であり、
Ｎ　前記第四の態様は、前記第二の状態に応じた態様であり、
Ｏ　前記第四の態様による前記第一の表示は、前記第一の態様による前記第一の表示よりも大きい表示であり、
Ｐ　或る演出において前記第一の態様による前記第一の表示が表示される場合があり、
Ｑ　前記或る演出において前記第四の態様による前記第一の表示が表示される場合があり、
Ｒ　前記第一の態様による前記第一の表示における前記操作手段の操作を促す文字列と前記第四の態様による該第一の表示における該操作手段の操作を促す文字列は、異なる文字列である、
Ｓ　ことを特徴とする遊技台。」
（２）刊行物１に記載された発明 
ア　本願の出願前に頒布された刊行物である特開２０１４−１３３１６４号公報（以下「刊行物１」という。）には、図面と共に次の事項が記載されている（下線は当審にて付した。以下同じ。）。 
（ア）「【技術分野】
【０００１】
　
本発明は、
遊技機に関する。
（イ）「【００２５】
　
液晶表示装置５は、演出画像を表示する画像表示装置であり、液晶表示装置５の表示画面は、遊技者によって視認され易い位置に設けられている。この表示画面には、例えば、特別図柄判定の判定結果を報知する装飾図柄、予告演出などを行うキャラクタやアイテム、特別図柄判定が保留されている数だけ表示される保留表示画像等の各種表示オブジェクトを含む演出画像が表示される。
（ウ）「【００２９】
［パチンコ遊技機１の操作手段の構成例］
　図２に例示されるように、
枠部材３には、遊技者が操作する操作手段として、演出ボタン２６
が設けられている。演出ボタン２６は、遊技者が押下することによって操作情報を入力するための押ボタンである。
【００３０】
　図３は、演出ボタン２６の各状態について説明するための説明図である。演出ボタン２６は、遊技者が操作する操作手段としての機能に加えて、演出手段としての機能も有する。具体的には、
演出ボタン２６は、
通常状態（図３（Ａ）参照）と突出状態（図３（Ｂ）参照）との少なくとも２種類の状態に変化することができる。
【００３１】
　また、
演出ボタン２６には発光素子（例えばＬＥＤ）であるボタンランプ９８（図８参照）が内蔵されており
【００３２】
　なお、
遊技者は、
演出ボタン２６を押下することが可能である。
（エ）「【００４０】
　まず、図５を参照して、ボタン演出の一例（信頼度が「中」である場合に行われるボタン演出の一例。以下では、「中信頼度ボタン演出」と呼ぶ。）について説明する。
【００４１】
　中信頼度ボタン演出の開始タイミングになると、図５（Ａ）に例示されるように、液晶表示装置５の中央部分に、スロットマシンのリールを模したスロット画像が表示される。このスロット画像は、通常状態の演出ボタン２６を示す図柄（図５（Ａ）のスロット画像における一番右の図柄）と、突出状態の演出ボタン２６を示す図柄（図５（Ａ）のスロット画像における一番左の図柄）と、ハズレを示す図柄（図５（Ａ）のスロット画像における中央の図柄）とが縦方向に連続して配置されたリール画像が横方向に３列表示されたものである。なお、スロット画像を構成するリール画像は、縦方向に配置された複数の図柄の全てが画面表示される訳ではなく、その一部が画面表示されるようになっている。
【００４２】
　各リール画像が停止状態にあるスロット画像が表示されてから所定時間が経過すると、図５（Ｂ）に例示されるように、各リール画像の図柄が上から下へスクロールして見えるように、各リール画像が変動表示される。
・・・
【００４５】
　次に、
図６を参照して、ボタン演出の他の一例（信頼度が「高」である場合に行われるボタン演出の一例。以下では、「高信頼度ボタン演出」と呼ぶ。）について説明する。
【００４６】
　
図６（Ａ）及び図６（Ｂ）については、上述した図５（Ａ）及び図５（Ｂ）と同様であるため、説明を省略する。
【００４７】
　図６（Ｂ）の状態で遊技者が演出ボタン２６を押下すると、演出ボタン２６が押下される毎にリール画像が順次停止表示されていき、遊技者が演出ボタン２６の３回目の押下を行ったタイミングで、突出状態の演出ボタン２６を示す図柄が有効ライン上に３つ揃うことになる（図６（Ｃ）参照）。これにより、遊技者に対して、突出状態の演出ボタン２６の押下が必要になることが事前に報知される。
【００４８】
　
その後、図６（Ｄ）に例示されるように、演出ボタン２６の押下を遊技者に促す演出画像が液晶表示装置５に表示されるとともに、ボタンモータ９７が作動して演出ボタン２６が通常状態から突出状態へと変化し、有効期間となったことを報知するためにボタンランプ９８が発光する。
イ　刊行物１の図面には以下の事項が記載されている。 
（ア）図６（Ａ）からは、液晶表示装置５の表示画面上部に「ボタンを押して　を揃えろ！」なる文字列が表示されると共に、その「押して」と「を揃えろ」との間には小さなボタンを模した画像が表示されることを読み取ることができる。
　また、図６（Ａ）では、演出ボタン２６は白色で平板状の形状に描かれていることを読み取ることができる。
（イ）図６（Ｄ）からは、液晶表示装置５の表示画面上部に「押せ！」なる文字列が表示さイ、同中央から下部にかけては、上記（ア）で認定した図６（Ａ）における「小さなボタンを模した画像」よりも大きなボタンを模した画像が表示されることを読み取ることができる。
　また、図６（Ｄ）では、演出ボタン２６は濃色で、図６（Ａ）のそれよりも厚い形状に描かれていることを読み取ることができる。
ウ　上記アの各記載事項及び上記イで認定した図面の記載事項から、以下の事項が導かれる。 
（あ）上記【００２９】には「枠部材３には、遊技者が操作する操作手段として、演出ボタン２６・・・が設けられている。演出ボタン２６は、遊技者が押下することによって操作情報を入力するための押ボタンである。」と記載され、上記【００３２】には「遊技者は・・・演出ボタン２６を押下することが可能である。」と記載されている。
　よって、刊行物１には、「枠部材の遊技者が押下げすることが可能な位置に設けられた、遊技者が操作する操作手段としての演出ボタン２６」が記載されているといえる。
（い）上記【００２５】には「液晶表示装置５は、演出画像を表示する画像表示装置であり、液晶表示装置５の表示画面は、遊技者によって視認され易い位置に設けられている。この表示画面には、例えば、特別図柄判定の判定結果を報知する装飾図柄、予告演出などを行うキャラクタやアイテム、特別図柄判定が保留されている数だけ表示される保留表示画像等の各種表示オブジェクトを含む演出画像が表示される。」と記載されている。
　また、上記【０００１】には「本発明は・・・遊技機に関する」との記載がある。
　よって、刊行物１には、「特別図柄判定の判定結果を報知する装飾図柄、予告演出などを行うキャラクタやアイテム、特別図柄判定が保留されている数だけ表示される保留表示画像等の各種表示オブジェクトを含む演出画像が表示される液晶表示装置５、を備えた遊技機」が記載されているといえる。
（う）上記【００３０】には「演出ボタン２６は・・・通常状態（図３（Ａ）参照）と突出状態（図３（Ｂ）参照）との少なくとも２種類の状態に変化することができる。」と記載されている。
　よって、刊行物１には、「演出ボタン２６は、２種類の状態に変化することができ、該状態のうちの一つは通常状態であり、該状態のうちのもう一つは、突出状態であ」る、ことが記載されているといえる。
（え）上記【００４５】〜【００４６】には「図６を参照して、ボタン演出の他の一例（信頼度が「高」である場合に行われるボタン演出の一例。以下では、「高信頼度ボタン演出」と呼ぶ。）について説明する。・・・図６（Ａ）及び図６（Ｂ）については、上述した図５（Ａ）及び図５（Ｂ）と同様であるため、説明を省略する。」と記載され、上記【００４８】には「その後、図６（Ｄ）に例示されるように、演出ボタン２６の押下を遊技者に促す演出画像が液晶表示装置５に表示されるとともに、ボタンモータ９７が作動して演出ボタン２６が通常状態から突出状態へと変化し」と記載されている。
　ここでは、演出ボタン２６は、図６（Ｄ）の段階で「通常状態から突出状態へと変化」すると記載されており、このことと、上記イ（ア）で認定したとおり、図６（Ａ）では平板状に描かれた演出簿短２６が図６（Ｄ）ではそれよりも厚い形状に描かれていることとから、演出ボタン２６は、図６（Ａ）の段階では突出しない「通常状態」であり、図６（Ｄ）の段階では突出する「突出状態」であるといえる。
　また、上記イ（ア）で認定したとおり、図６（Ａ）の段階では「液晶表示装置５の表示画面上部に「ボタンを押して　を揃えろ！」なる文字列が表示されると共に・・・ボタンを模した画像が表示され」、また、上記イ（イ）で認定したとおり、図６（Ｄ）の段階では「液晶表示装置５の表示画面上部に「押せ！」なる文字列が表示され、同中央から下部にかけては、上記イ（ア）で認定した図６（Ａ）の段階における「小さなボタンを模した画像」よりも「大きなボタンを模した画像」が表示され」ることが記載されているといえる。
　以上から、刊行物１には、
「液晶表示装置５に表示される演出画像として高信頼度ボタン演出の際の演出画像があり、
該高信頼度ボタン演出の際の演出画像は、演出ボタン２６を模した画像や、「ボタンを押して・・・」、「押せ！」などの文字列からなる表示であり、
該表示は演出ボタン２６を模した画像を含む表示であり、
該表示は「ボタンを押して・・・」、「押せ！」などの文字列を含む表示であり、
高信頼度ボタン演出の際の演出画像には複数の段階があり、
該複数の段階のうちの一つの演出画像は、液晶表示装置５の表示画面上部に「ボタンを押して　を揃えろ！」なる文字列が表示されると共に小さなボタンを模した画像が表示されるものであり、
該複数の段階のうちの他の一つの演出画像は、液晶表示装置５の表示画面上部に「押せ！」なる文字列が表示されると共に、前記「小さなボタンを模した画像」よりも「大きなボタンを模した画像」が表示されるものであり、
前記複数の段階のうちの一つの演出画像は、演出ボタン２６が通常状態である場合に表示されるものであり、
前記複数の段階のうちの他の一つの演出画像は、演出ボタン２６が突出状態である場合に表示されるものであり、
前記他の一つの演出画像による大きなボタンを模した画像は、前記一つの演出画像による小さなボタンを模した画像よりも大きく、
前記高信頼度ボタン演出において、前記一つの演出画像が表示され、
また、該高信頼度ボタン演出において、前記他の一つの演出画像が表示され、
前記一つの演出画像において表示される文字列は「ボタンを押して　を揃えろ！」であり、前記他の一つの演出画像において表示される文字列は「押せ！」である」
ことが記載されているといえる。
エ　上記アの各記載事項、上記イ・ウの認定事項から、刊行物１には次の発明（以下「刊行物１発明」という。）が記載されていると認められる（ａ〜ｓは、本件補正発明のＡ〜Ｓに対応させて付与した。また、（あ）などは、関連する上記３．（２）ウの各項を示す。）。
「ａ　枠部材の遊技者が押下げすることが可能な位置に設けられた、遊技者が操作する操作手段としての演出ボタン２６と、（あ）
ｂ　特別図柄判定の判定結果を報知する装飾図柄、予告演出などを行うキャラクタやアイテム、特別図柄判定が保留されている数だけ表示される保留表示画像等の各種表示オブジェクトを含む演出画像が表示される液晶表示装置５、を備えた遊技機であって、（い）
ｃ　演出ボタン２６は、２種類の状態に変化することができ、（う）
ｄ　該状態のうちの一つは通常状態であり、（う）
ｅ　該状態のうちのもう一つは、突出状態であり、（う）
ｆ　液晶表示装置５に表示される演出画像として高信頼度ボタン演出の際の演出画像があり、（え）
ｇ　該高信頼度ボタン演出の際の演出画像は、演出ボタン２６を模した画像や、「ボタンを押して・・・」、「押せ！」などの文字列からなる表示であり、（え）
ｈ　該表示は演出ボタン２６を模した画像を含む表示であり、（え）
ｉ　該表示は「ボタンを押して・・・」、「押せ！」などの文字列を含む表示であり、（え）
ｊ　高信頼度ボタン演出の際の演出画像には複数の段階があり、（え）
ｋ　該複数の段階のうちの一つの演出画像は、液晶表示装置５の表示画面上部に「ボタンを押して　を揃えろ！」なる文字列が表示されると共に小さなボタンを模した画像が表示されるものであり、（え）
ｌ　該複数の段階のうちの他の一つの演出画像は、液晶表示装置５の表示画面上部に「押せ！」なる文字列が表示されると共に、前記「小さなボタンを模した画像」よりも「大きなボタンを模した画像」が表示されるものであり、（え）
ｍ　前記複数の段階のうちの一つの演出画像は、演出ボタン２６が通常状態である場合に表示されるものであり、（え）
ｎ　前記複数の段階のうちの他の一つの演出画像は、演出ボタン２６が突出状態である場合に表示されるものであり、（え）
ｏ　前記他の一つの演出画像による大きなボタンを模した画像は、前記一つの演出画像による小さなボタンを模した画像よりも大きく、（え）
ｐ　前記高信頼度ボタン演出において、前記一つの演出画像が表示され、（え）
ｑ　また、該高信頼度ボタン演出において、前記他の一つの演出画像が表示され、（え）
ｒ　前記一つの演出画像において表示される文字列は「ボタンを押して　を揃えろ！」であり、前記他の一つの演出画像において表示される文字列は「押せ！」である、（え）
ｓ　遊技機。（い）」 
（３）本件補正発明と刊行物１発明との対比
ア　刊行物１発明の構成ａの「枠部材の遊技者が押下げすることが可能な位置」、「演出ボタン２６」は、それぞれ、本件補正発明の構成Ａの「遊技者が操作可能な位置」、「操作手段」に相当する。
　よって、前記構成ａの「枠部材の遊技者が押下げすることが可能な位置に設けられた、遊技者が操作する操作手段としての演出ボタン２６」は、前記構成Ａの「遊技者が操作可能な位置に設けられた操作手段」に相当する。
イ　刊行物１発明の構成ｂ、ｓの「液晶表示装置５」、「遊技機」は、それぞれ、本件補正発明の構成Ｂ、Ｓの「表示手段」、「遊技台」に相当する。
　また、前記構成ｂの「特別図柄判定の判定結果を報知する装飾図柄、予告演出などを行うキャラクタやアイテム、特別図柄判定が保留されている数だけ表示される保留表示画像等の各種表示オブジェクトを含む演出画像」は、それぞれが「液晶表示装置５」上に表示される異なる表示であるから、本件補正発明の構成Ｂの「複数の表示」に相当し、前記構成ｂの「液晶表示装置５」はこれら相互に異なる複数の表示を表示可能であるといえる。
　よって、前記構成ｂの「特別図柄判定の判定結果を報知する装飾図柄、予告演出などを行うキャラクタやアイテム、特別図柄判定が保留されている数だけ表示される保留表示画像等の各種表示オブジェクトを含む演出画像が表示される液晶表示装置５、を備えた遊技機であって、」は、前記構成Ｂの「複数の表示を表示可能な表示手段と、を備えた遊技台であって、」に相当する。
ウ　刊行物１発明の構成ｃ〜ｅにおける「２種類の状態」、「通常状態」、「突出状態」は、それぞれ、本件補正発明の構成Ｃ〜Ｅの「複数の状態」、「第一の状態」、「第二の状態」に相当する。
　よって、前記構成ｃ〜ｅの
「演出ボタン２６は、２種類の状態に変化することができ、
該状態のうちの一つは通常状態であり、
該状態のうちのもう一つは、突出状態であり、」
は、前記構成Ｃ〜Ｅの
「前記操作手段は、複数の状態となることが可能とされ、
前記複数の状態のうちの一つは、第一の状態であり、
前記複数の状態のうちの一つは、第二の状態であり、」
に相当する。
エ　刊行物１発明の構成ｇ、ｈの「演出ボタン２６を模した画像」は「演出ボタン２６」そのものを想起させる画像であるし、該構成ｇ、ｉの「「ボタンを押して・・・」、「押せ！」などの文字列からなる表示」は、該「演出ボタン２６」に対する操作を促す意味を持つ文字列であるから、いずれも、本件発明の構成Ｇの「操作手段に関する表示」に相当するといえる。
　また、前記構成ｉの「「ボタンを押して・・・」、「押せ！」などの文字列からなる表示」は前記のとおり「演出ボタン２６」に対する操作を促す意味を持つ文字列を表示するものであるから、本件補正発明の構成Ｉの「操作手段の操作を促す文字列を含む表示」にも相当する。
　さらに、前記構成ｈで、表示が「演出ボタン２６を模した画像」からなることは、本件補正発明の構成Ｈの「操作手段を模した表示（以下、「操作手段表示」という。）を含む表示」であることに相当するといえる。
　そうすると、前記画像や表示を伴う前記構成ｆの「高信頼度ボタン演出の際の演出画像」は、本件発明の構成Ｆの「第一の表示」に相当し、前記構成ｆ〜ｉの
「液晶表示装置５に表示される演出画像として高信頼度ボタン演出の際の演出画像があり、
該高信頼度ボタン演出の際の演出画像は、演出ボタン２６を模した画像や、「ボタンして・・・」、「押せ！」などの文字列からなる表示であり、
該表示は演出ボタン２６を模した画像を含む表示であり、
該表示は「ボタンを押して・・・」、「押せ！」などの文字列を含む表示であり、」
は、前記構成Ｆ〜Ｉの
「前記複数の表示のうちの一つは、第一の表示であり、
　前記第一の表示は、前記操作手段に関する表示であり、
　前記操作手段に関する表示は、前記操作手段を模した表示（以下、「操作手段表示」という。）を含む表示であり、
　前記操作手段に関する表示は、前記操作手段の操作を促す文字列を含む表示であり、」
に相当するといえる。
オ　刊行物１発明の構成ｊ〜ｎにおける「複数の段階」があること、「液晶表示装置５の表示画面上部に「ボタンを押して　を揃えろ！」なる文字列が表示されると共に小さなボタンを模した画像が表示される」演出画像、「液晶表示装置５の表示画面上部に「押せ！」なる文字列が表示されると共に、前記「小さなボタンを模した画像」よりも「大きなボタンを模した画像」が表示される」演出画像、は、それぞれ、本件補正発明の構成Ｊ〜Ｎにおける「複数の態様で表示可能」なこと、「第一の態様」、「第四の態様」、に相当するといえる。
　よって、前記構成ｊ〜ｎの
「高信頼度ボタン演出の際の演出画像には複数の段階があり、
該複数の段階のうちの一つの演出画像は、液晶表示装置５の表示画面上部に「ボタンを押して　を揃えろ！」なる文字列が表示されると共に小さなボタンを模した画像が表示されるものであり、
　該複数の段階のうちの他の一つの演出画像は、液晶表示装置５の表示画面上部に「押せ！」なる文字列が表示されると共に、前記「小さなボタンを模した画像」よりも「大きなボタンを模した画像」が表示されるものであり、
　前記複数の段階のうちの一つの演出画像は、演出ボタン２６が通常状態である場合に表示されるものであり、
　前記複数の段階のうちの他の一つの演出画像は、演出ボタン２６が突出状態である場合に表示されるものであり、」
は、前記構成Ｊ〜Ｎの
「前記第一の表示は、複数の態様で表示可能とされ、
　前記複数の態様のうちの一つは、第一の態様であり、
　前記複数の態様のうちの一つは、第四の態様であり、
　前記第一の態様は、前記第一の状態に応じた態様であり、
　前記第四の態様は、前記第二の状態に応じた態様であり、」
に相当する。
カ　刊行物１発明の構成ｏの「前記他の一つの演出画像による大きなボタンを模した画像は、前記一つの演出画像による小さなボタンを模した画像よりも大き」いことは、本件補正発明の構成Ｏの、「前記第四の態様による前記第一の表示は、前記第一の態様による前記第一の表示よりも大きい表示であ」ることに相当するといえる。
　よって、前記構成ｏの「前記他の一つの演出画像による大きなボタンを模した画像は、前記一つの演出画像による小さなボタンを模した画像よりも大きく」は、前記構成Ｏの「前記第四の態様による前記第一の表示は、前記第一の態様による前記第一の表示よりも大きい表示であり」に相当する。
キ　刊行物１発明の構成ｐ〜ｑにおける「高信頼度ボタン演出」は本件補正発明の構成Ｐ〜Ｑの「或る演出」に相当する。
　そして、前記構成ｐ〜ｑの「前記一つの演出画像」と、「前記他の一つの演出画像」とはそれぞれ、前記構成ｋ〜ｌについて上記オにおいてそれぞれ「第一の態様」、「第四の態様」に相当すると認定した「液晶表示装置５の表示画面上部に「ボタンを押して　を揃えろ！」なる文字列が表示されると共に小さなボタンを模した画像が表示される」演出画像と、「液晶表示装置５の表示画面上部に「押せ！」なる文字列が表示されると共に、前記「小さなボタンを模した画像」よりも「大きなボタンを模した画像」が表示される」演出画像と、に対応するから、前記構成ｐ〜ｑの
「前記高信頼度ボタン演出において、前記一つの演出画像が表示され、
また、該高信頼度ボタン演出において、前記他の一つの演出画像が表示され、」
は、前記構成Ｐ〜Ｑの
「或る演出において前記第一の態様による前記第一の表示が表示される場合があり、
　前記或る演出において前記第四の態様による前記第一の表示が表示される場合があり、」
に相当するといえる。
ク　刊行物１発明の構成ｒにおいて、前記一つの演出画像において表示される文字列は「ボタンを押して　を揃えろ！」であり、前記他の一つの演出画像において表示される文字列は「押せ！」であって、相互に異なるから、該構成ｒの「前記一つの演出画像において表示される文字列は「ボタンを押して　を揃えろ！」であり、前記他の一つの演出画像において表示される文字列は「押せ！」である」は、本件補正発明の構成Ｒの「前記第一の態様による前記第一の表示における前記操作手段の操作を促す文字列と前記第四の態様による該第一の表示における該操作手段の操作を促す文字列は、異なる文字列である」に相当する。
　
ケ　上記ア〜クによれば、本件補正発明と刊行物１発明とは、下記の点で一致し、両者の間に相違点はない。 
［一致点］
「Ａ　遊技者が操作可能な位置に設けられた操作手段と、
Ｂ　複数の表示を表示可能な表示手段と、を備えた遊技台であって、
Ｃ　前記操作手段は、複数の状態となることが可能とされ、
Ｄ　前記複数の状態のうちの一つは、第一の状態であり、
Ｅ　前記複数の状態のうちの一つは、第二の状態であり、
Ｆ　前記複数の表示のうちの一つは、第一の表示であり、
Ｇ　前記第一の表示は、前記操作手段に関する表示であり、
Ｈ　前記操作手段に関する表示は、前記操作手段を模した表示（以下、「操作手段表示」という。）を含む表示であり、
Ｉ　前記操作手段に関する表示は、前記操作手段の操作を促す文字列を含む表示であり、
Ｊ　前記第一の表示は、複数の態様で表示可能とされ、
Ｋ　前記複数の態様のうちの一つは、第一の態様であり、
Ｌ　前記複数の態様のうちの一つは、第四の態様であり、
Ｍ　前記第一の態様は、前記第一の状態に応じた態様であり、
Ｎ　前記第四の態様は、前記第二の状態に応じた態様であり、
Ｏ　前記第四の態様による前記第一の表示は、前記第一の態様による前記第一の表示よりも大きい表示であり、
Ｐ　或る演出において前記第一の態様による前記第一の表示が表示される場合があり、
Ｑ　前記或る演出において前記第四の態様による前記第一の表示が表示される場合があり、
Ｒ　前記第一の態様による前記第一の表示における前記操作手段の操作を促す文字列と前記第四の態様による該第一の表示における該操作手段の操作を促す文字列は、異なる文字列である、
Ｓ　ことを特徴とする遊技台。」
　よって、本件補正発明は刊行物１発明と同一であるから、本件補正発明は特許法第２９条第１項第３号に該当し、特許を受けることができない。 
　また、仮に相違点があるとしても微差であり、本件補正発明は刊行物１発明に基づいて当業者が容易に想到し得たものであるから、本件補正発明は特許法第２９条第２項の規定により特許を受けることができない。
４．むすび 
　上記３．において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。 
第３　本願発明について 
１．本願発明 
　本件補正は、上記のとおり却下されたので、本願の請求項１〜１６に係る発明は、平成２８年９月１２日付けの手続補正書により補正された、特許請求の範囲の請求項１〜１６に記載されたとおりのものであるところ、その請求項１に係る発明（以下、「本願発明」という。）は、上記第２の１．に示した以下のとおりのものである。（Ａ２〜Ｓ２の付番は、分説のため当審にて付与した。上記本件補正発明との対応づけのため、一部付番に欠落がある。）
「Ａ２　遊技者が操作可能な位置に設けられた操作手段と、
Ｂ２　複数の表示を表示可能な表示手段と、を備えた遊技台であって、
Ｃ２　前記操作手段は、複数の状態となることが可能とされ、
Ｄ２　前記複数の状態のうちの一つは、第一の状態であり、
Ｅ２　前記複数の状態のうちの一つは、第二の状態であり、
Ｆ２　前記複数の表示のうちの一つは、第一の表示であり、
Ｇ２　前記第一の表示は、前記操作手段に関する表示であり、
Ｊ２　前記第一の表示は、複数の態様で表示可能とされ、
Ｋ２　前記複数の態様のうちの一つは、第一の態様であり、
Ｌ２　前記複数の態様のうちの一つは、第四の態様であり、
Ｍ２　前記第一の態様は、前記第一の状態に応じた態様であり、
Ｎ２　前記第四の態様は、前記第二の状態に応じた態様であり、
Ｏ２　前記第四の態様による前記第一の表示は、前記第一の態様による前記第一の表示よりも大きい表示である、
Ｓ２　ことを特徴とする遊技台。」
２．原査定の拒絶の理由
　原査定の拒絶の理由である理由１は、本願発明は特開２０１３−２０８３０４号公報に記載された発明であるから、特許法第２９条第１項第３号に該当し、特許を受けることができず、また、理由２は、本願発明は特開２０１３−２０８３０４号公報に記載された発明及び周知技術にもとづいて当業者が容易に発明することができたものであるから、特許法第２９条第２項の規定により特許を受けることができない、というものである。 
３．刊行物２に記載された発明
ア　原査定の拒絶理由において提示された、本願の出願前に頒布された刊行物である特開２０１３−２０８３０４号公報（以下「刊行物２」という。）には、図面と共に次の事項が記載されている（下線は当審にて付した。以下同じ。）。 
（ア）「【０００９】
　まず、図１を用いて、本発明の実施形態に係るパチンコ機１００の全体構成について説明する。なお、同図はパチンコ機１００を正面側（遊技者側）から見た外観斜視図である。
パチンコ機１００は、
遊技盤２００と、をその前面に備える。
（イ）「【００１２】
　
球貯留皿付扉１０８は、パチンコ機１００の前面において本体１０４の下側に対して、ロック機能付きで且つ開閉自在となるように装着された扉部材である。
球貯留皿付扉１０８は、
遊技者の操作によって各種演出装置２０６の演出態様に変化を与えるチャンスボタン１３６と、チャンスボタン１３６を発光させるチャンスボタンランプ１３８と、
設定操作部１３９
と、チャンスボタン１３６や設定操作部１３９が設けられた操作部７００
と、
を備える。
（ウ）「【００１９】
　図３は、遊技盤２００を正面から見た略示正面図である。
遊技盤２００には、外レール２０２と内レール２０４とを配設し、遊技球が転動可能な遊技領域１２４を区画形成している。遊技領域１２４の略中央には、演出装置２０６を配設している。演出装置２０６には、略中央に装飾図柄表示装置２０８を配設し
・・・
【００２０】
　
装飾図柄表示装置２０８は、装飾図柄ならびに演出に用いる様々な表示を行うための表示装置であり、本実施の形態では液晶表示装置
によって構成する。
（エ）「【００３７】
　図４は、本実施形態に係る操作部７００の分解斜視図である。図４は、操作部７００の上方から下方を図左下から右上に向かって示している。図５（ａ）は、操作部７００を上方から見た外観を示している。図５（ａ）では、
チャンスボタン１３６を発光＋振動＋回転状態である第３の態様
チャンスボタン１３６が発光＋振動状態である第２の態様
（オ）「【０３２８】
　その後、図２３（ｆ）では、第二の操作がされたことにより、演出テーブル２に基づき「傘演出」として「操作手段演出４」を行う。すなわち、中図柄表示領域２０８ｂと重なる
演出表示領域２０８ｄには、黄色発光するとともに振動したチャンスボタン１３６の画像（図１７（ｄ）の画像）を表示するとともに、チャンスボタン１３６のチャンスボタンランプ１３８を黄色発光させ振動モータ７１８により振動させる
（カ）「【０３７８】
　図２８は、予告テーブル２を用いた予告抽選２において選択される予告態様の一例および「装飾図柄表示装置での演出態様」のリーチ演出で用いられるキャラクタ画像の一例を示している。図２８（ａ）〜図２８（ｃ）は、リーチ形成前の演出表示予告において例えば装飾図柄表示装置２０８の装飾図柄表示領域２０８ａ〜２０８ｃのいずれかと重なる領域の演出表示領域２０８ｄに表示されるキャラクタ画像を示している。図２８（ａ）は、表示１に対応する「番長１」を表したキャラクタ画像を示し、図２８（ｂ）は、表示２に対応する「番長２」を表したキャラクタ画像を示し、図２８（ｃ）は、
表示３に対応する「番長３」
・・・
【０３８１】
　図２８（ｉ）〜図２８（ｋ）は、チャンスボタン１３６の態様を模式的に示している。図２８（ｉ）は、チャンスボタン１３６の第１の態様を示している。本実施の形態による
パチンコ機１００では、チャンスボタン１３６の第１の態様においてチャンスボタン１３６は発光状態になる。
パチンコ機１００では、第２の態様においてチャンスボタン１３６は発光とともに振動している状態（以下、当該状態を「発光＋振動状態」と称する場合がある）になっている。
パチンコ機１００では、チャンスボタン１３６の第３の態様においてチャンスボタン１３６は発光とともに振動し、かつ所定部位が回転している状態（以下、「発光＋振動＋回転状態」と称する場合がある）になっている。
・・・
【０３８３】
　図２９に示す予告テーブル３は、左列から「操作手段」、「表示」および「予告態様の変化契機」の３つに区分されている。「操作手段」は、図２７に示す予告テーブル２を用いた予告抽選２において選択されたチャンスボタン１３６の態様を示している。「操作手段」は、チャンスボタン１３６の第１の態様を示す「１」、チャンスボタン１３６が第１の態様から第２の態様に変化することを示す「１−２」、チャンスボタン１３６の第２の態様を示す「２」、チャンスボタン１３６が第２の態様から第３の態様に変化することを示す「２−３」、チャンスボタン１３６の第３の態様を示す「３」の５つに区分されている。
【０３８４】
　「操作手段」の図中右隣の「表示」は、図２７に示す予告テーブル２を用いた予告抽選２において選択された装飾図柄表示装置２０８による演出表示予告の予告態様を示している。「表示」は、「操作手段」の区分毎に対応付けて１、２または３つに区分されている。チャンスボタン１３６の態様「１」に対応する演出表示予告の予告態様は、表示１を示す「１」、表示２を示す「２」および表示１から表示２に変化することを示す「１−２」の３つに区分されている。また、
チャンスボタン１３６の態様「１−２」に対応する演出表示予告の予告態様は、表示１から表示２に変化することを示す「１−２」、表示２を示す「２」および表示２から表示３に変化することを示す「２−３」の３つに区分されている。また、チャンスボタン１３６の態様「２」に対応する演出表示予告の予告態様は、表示２を示す「２」および表示２から表示３に変化することを示す「２−３」の２つに区分されている。また、チャンスボタン１３６の態様「２−３」に対応する演出表示予告の予告態様は、表示２を示す「２」および表示２から表示３に変化することを示す「２−３」の２つに区分されている。さらに、チャンスボタン１３６の態様「３」に対応する演出表示予告の予告態様は、表示３を示す「３」が対応付けられており、複数に区分に分されていない。
（キ）「【０５３５】
　次に、図４３を用いて、装飾図柄表示装置２０８による操作要求演出の一例について説明する。図４３（ａ）および図４３（ｂ）は、リーチ形成前における操作要求演出の一例をそれぞれ示している。図４３（ａ）は、上記実施例２−２乃至２−５によるパチンコ機１００での操作要求演出を示している。図４３（ａ）に示すように、操作要求演出は、チャンスボタン１３６の態様が発光＋振動状態の場合にも発光状態を表したチャンスボタン１３６の画像を演出表示領域２０８ｄに表示して実行される。このように、操作要求演出において、演出表示領域２０８ｄに表示されるチャンスボタン１３６を表した画像は常に同じ態様を表した画像であるが、これに限られない。
例えば、図４３（ｂ）に示すように、チャンスボタン１３６の態様が発光＋振動状態である場合には演出表示領域２０８ｄに表示されるチャンスボタン１３６を表した画像は、発光＋振動状態を表した画像であってもよい。このように、操作要求演出では、チャンスボタン１３６の態様と同じ態様でチャンスボタン１３６を表した画像が表示されてもよい。
【０５３６】
　図４３（ｃ）乃至図４３（ｈ）は、操作要求演出において演出表示領域２０８ｄに表示される画像を示している。図４３（ｃ）は、上記実施例２−２乃至２−５によるパチンコ機１００での操作要求演出を示している。図４３（ｃ）に示すように、操作要求演出実行時に演出表示領域２０８ｄにはチャンスボタン１３６を表した画像と、「連打せよ！」という文字画像とがそれぞれが表示されるが、これに限られない。
図４３（ｄ）に示すように、例えば、操作要求演出として、発光状態のチャンスボタン１３６を表す画像のみが演出表示領域２０８ｄに表示されてもよい。図４３（ｅ）に示すように、発光＋振動状態のチャンスボタン１３６を表す画像のみが演出表示領域２０８ｄに表示されてもよい。
【０５３７】
　図４３（ｈ）は、演出表示領域２０８ｄに表示されるチャンスボタン１３６を表した画像を図中矢印の向きに時系列で示している。また、
図４３（ｈ）に示すように、操作要求演出において、チャンスボタン１３６を表した画像が拡大と縮小とを繰り返して表示されてチャンスボタン１３６が押下されているような動画像が演出表示領域２０８ｄに表示されてもよい。
（ク）「【０５７８】
　次に、図４９を用いて本実施の形態の変形例３によるパチンコ機１００における特図変動遊技について説明する。本変形例によるパチンコ機１００は、特図１および特図２の始動情報がいずれも記憶されている場合に特図２の始動情報を優先して消化する特図２優先変動機である。
図４９（ａ）乃至図４９（ｈ）はこの順に、本変形例によるパチンコ機１００での特図変動遊技を時系列で示している。
【０５７９】
　図４９（ａ）では、左中右図柄表示領域２０８ａ、２０８ｂ、２０８ｃに「装飾４−装飾４−装飾３」が停止表示されて、特図２変動遊技がはずれであることが報知されている。図示は省略するが特図２表示装置２１４には「特図Ｉ」が停止表示されている。なお、現時点でのパチンコ機１００の遊技状態は、時短状態である。
【０５８０】
　図４９（ａ）に示す時点では、特図１変動遊技が２個保留されているので、特図１保留表示領域２０８ｄ１に、１個目に保留された特図１変動遊技に対応する保留表示画像ａ１と、２個目に保留された特図１変動遊技に対応する保留表示画像ａ２とがそれぞれ表示され、合計２個の特図１変動遊技が保留されていることが報知されている。また、特図２変動遊技が３個保留されているので、特図２保留表示領域２０８ｄ２に、１個目に保留された特図２変動遊技に対応する保留表示画像ｂ１と、２個目に保留された特図２変動遊技に対応する保留表示画像ｂ２と、３個目に保留された特図２変動遊技に対応する保留表示画像ｂ３とがそれぞれ表示され、合計３個の特図２変動遊技が保留されていることが報知されている。
【０５８１】
　左中右図柄表示領域２０８ａ、２０８ｂ、２０８ｃに「装飾４−装飾４−装飾３」が停止表示されてから所定時間の経過後に開始される、図４９（ｂ）に示す特図２変動遊技の開始に先立って、例えば以下の処理が実行される。まず、主制御部３００は、図３０に示す特図変動開始時処理を実行する。例えば主制御部３００は、特図２変動遊技が保留されていると判定し（ステップＳ１００１のＹｅｓ）、これから開始する特図２変動遊技の当否判定を行い、当該特図２変動遊技に係る当否判定結果がはずれであると判定し（ステップＳ１００５のＮｏ、ステップＳ１００９のＮｏ）、はずれ図柄を決定し（ステップＳ１０１３）、停止図柄に基づき変動時間を抽選し（ステップＳ１０１５）、特図変動開始時処理を終了する。また、主制御部３００は、特図２表示装置２１４において特図２変動遊技を開始するとともに当否判定結果、当該特図２変動遊技の変動時間としての特図タイマ番号および特図２保留数の情報を含むコマンドを第１副制御部４００に送信する。本例では、はずれ図柄として例えば、「特図Ｉ」を選択している。また、本例では、特図２変動遊技の変動時間として「４００００ｍｓ」を選択している。このため、図１３（ｂ）に示すように「装飾図柄表示装置での演出態様」として「リーチＡはずれ」が選択される。
【０５８２】
　また、
主制御部３００から当該コマンドを受信した第１副制御部４００は、図３１に示す特図変動遊技開始時の予告決定処理を実行する。
第１副制御部４００は、
「装飾図柄表示装置での演出態様」としての「リーチＡはずれ」と通常予告演出としての「ボタン系」とを実行することを示す情報を含むコマンドを装飾図柄表示装置２０８に出力して
、特図変動遊技の開始時の予告決定処理を終了する。
【０５８３】
　
以上の処理が終了すると、図４９（ｂ）に示すように、
特図２変動遊技が実行される。
【０５８４】
　また、第１副制御部４００は、特図２保留数が１減少した情報を含むコマンドを受信しているので、図４９（ｂ）に示すように、保留表示画像ｂ３は消去される。
【０５８５】
　左中右図柄表示領域２０８ａ、２０８ｂ、２０８ｃにおいて
図柄変動表示が開始されてから所定時間経過後に操作有効期間が開始される。
操作有効期間が開始されるとチャンスボタン１３６の態様が発光＋振動状態に変化する。
【０５８６】
　
操作要求演出開始から所定時間が経過するまでに遊技者がチャンスボタン１３６を押下しないと、チャンスボタン１３６の発光＋振動状態が維持されるとともに、操作要求演出が設定操作部１３９を遊技者に操作させるための演出に変更される。このため、図４９（ｄ）に示すように、
設定操作部１３９を表した画像が中図柄表示領域２０８ｂと重なる演出表示領域２０８ｄに表示される。
演出表示領域２０８ｄには「連打せよ！」という文字画像が継続して表示される。
【０５８７】
　設定操作部１３９を遊技者に操作させるための操作要求演出が開始されたことに基づいて、例えば、遊技者が設定操作部１３９の確定（ＯＫ）ボタン１３９ａを複数回押下すると、図４９（ｄ）に示すように当該押下に基づいて設定操作部１３９の態様が振動状態に変化する。
【０５８８】
　また当該押下に基づいて図４９（ｅ）に示すように、中図柄表示領域２０８ｂと重なる演出表示領域２０８ｄに設定操作部１３９を表す画像に代えて表示２に対応する「番長２」を表したキャラクタ画像が表示されてリーチ形成前の演出表示予告が実行される。
【０５８９】
　また、図４９（ｅ）および図４９（ｆ）に示すように演出表示領域２０８ｄの中央部上方には「連打せよ！」という文字画像が引き続き表示されて操作要求演出が継続される。
操作要求演出に促されて、例えば遊技者が設定操作部１３９の確定（ＯＫ）ボタン１３９ａを複数回押下すると演出表示予告の予告態様が表示２から表示３へと発展的に変化するとともに操作されていないチャンスボタン１３６の態様が第２の態様から第３の態様に発展的に変化する。したがって、図４９（ｇ）に示すように中図柄表示領域２０８ｂと重なる演出表示領域２０８ｄに「番長２」を表したキャラクタ画像に代えて「番長３」のキャラクタ画像が表示される。また、図４９（ｈ）に示すように、チャンスボタン１３６は発光＋振動＋回転状態に変化する。
イ　刊行物２の図面には以下の事項が記載されている。 
（ア）図４９について上記【０５７８】には「図４９および後述する図５０では、説明のために、装飾図柄表示装置２０８の右側にチャンスボタン１３６及び設定操作部１３９を示し、・・・」と説明されていることと、例えば図４９（ｃ）について、【０５８５】には「操作有効期間が開始されるとチャンスボタン１３６の態様が発光＋振動状態に変化する」と記載されると共に該図４９（ｃ）の装飾図柄表示装置２０８の表示画像を示す矩形部分の右側には、図２８（ｊ）で「第２の態様」、「発光＋振動」と付記されたチャンスボタン１３６の絵柄と同様の絵柄が描かれていることとから、図４９では、装飾図柄表示装置２０８の表示画像を示す矩形部分と、その際の操作部７００のチャンスボタン１３６や設定操作部１３９とが対応付けて描かれているといえる。
　そして、図４９（ｄ）には、装飾図柄表示装置２０８の図柄表示領域２０８ｂに設定操作部１３９を表した画像が表示され、その上方には「連打せよ！」なる文字列が表示されており、該装飾図柄表示装置２０８の右側にはチャンスボタン１３６が「第２の態様」である「発光＋振動」状態に対応する図２８（ｊ）と同様の絵柄で描かれていることから、該図４９（ｄ）には、チャンスボタン１３６が該第２の態様であるときに、装飾図柄表示装置２０８には設定操作部１３９を表した画像が表示され、その上方には「連打せよ！」なる文字列が表示されることが示されているといえる。
（イ）上記（ア）と同様に、図４９（ｈ）には、装飾図柄表示装置２０８の図柄表示領域２０８ｂに、図２８（ｃ）に示された「リーチ前予告表示３」に対応し、上記【０３７８】で「図２８（ｃ）は、表示３に対応する「番長３」を表したキャラクタ画像を示している。」と説明されるとおりの「番長３」の画像が表示され、その上方には「連打せよ！」なる文字列が表示されており、該図の前記装飾図柄表示装置２０８の表示画像を示す矩形部分の右側には、図２８（ｋ）で「第３の態様」「発光＋振動＋回転」と付記されたチャンスボタン１３６の絵柄と同様の絵柄が描かれていることから、図４９（ｈ）には、チャンスボタン１３６が該第３の態様であるときに、装飾図柄表示装置２０８には「番長３」を表した画像が表示され、その上方には「連打せよ！」なる文字列が表示されることが示されているといえる。
　また、同寸に描かれた図４９（ｄ）、（ｈ）の装飾図柄表示装置２０８において、図４９（ｄ）の前記設定操作部１３９の画像と「連打せよ！」なる文字列を合わせた画像の大きさよりも、図４９（ｈ）の「番長３」と「連打せよ！」なる文字列とを合わせた画像の方が明らかに大きいことが見て取れる。よって、前記図４９から、「連打せよ！」の文字列及び設定操作部１３９からなる図４９（ｄ）の段階の画像と、共通する「連打せよ！」の文字列及び「番長３」の画像からなる図４９（ｈ）の段階の画像とでは、後者の方が大きいこと、を読み取ることができる。
ウ　上記アの各記載事項及び上記イで認定した図面の記載事項から、以下の事項が導かれる。 
（あ）上記【００１２】には、「球貯留皿付扉１０８は、パチンコ機１００の前面において本体１０４の下側に対して、ロック機能付きで且つ開閉自在となるように装着された扉部材である。・・・球貯留皿付扉１０８は、・・・遊技者の操作によって各種演出装置２０６の演出態様に変化を与えるチャンスボタン１３６と、チャンスボタン１３６を発光させるチャンスボタンランプ１３８と、設定操作部１３９・・・と、チャンスボタン１３６や設定操作部１３９が設けられた操作部７００・・・と、・・・を備える。」と記載されている。
　よって、刊行物２には、扉部材に「操作者の操作によって各種演出装置２０６の演出態様に変化を与えるチャンスボタン１３６と、設定操作部１３９と、チャンスボタン１３６や設定操作部１３９が設けられた操作部７００と、」を備えるパチンコ機、が記載されているといえる。
（い）上記【０００９】には「パチンコ機１００は、・・・遊技盤２００と、をその前面に備える。」と記載され、上記【００１９】〜【００２０】には「遊技盤２００には、外レール２０２と内レール２０４とを配設し、遊技球が転動可能な遊技領域１２４を区画形成している。遊技領域１２４の略中央には、演出装置２０６を配設している。演出装置２０６には、略中央に装飾図柄表示装置２０８を配設し、・・・装飾図柄表示装置２０８は、装飾図柄ならびに演出に用いる様々な表示を行うための表示装置であり、本実施の形態では液晶表示装置・・・によって構成する。」、と記載されている。
　よって、刊行物２には、「装飾図柄ならびに演出に用いる様々な表示を行うための表示装置である装飾図柄表示装置２０８を備えたパチンコ機」が記載されているといえる。
（う）上記【０３８１】には「パチンコ機１００では、チャンスボタン１３６の第１の態様においてチャンスボタン１３６は発光状態になる。・・・パチンコ機１００では、第２の態様においてチャンスボタン１３６は発光とともに振動している状態（以下、当該状態を「発光＋振動状態」と称する場合がある）になっている。・・・パチンコ機１００では、チャンスボタン１３６の第３の態様においてチャンスボタン１３６は発光とともに振動し、かつ所定部位が回転している状態（以下、「発光＋振動＋回転状態」と称する場合がある）になっている。」、と記載されている。（以下「記載事項う１」という。）
　よって、刊行物２には、
「操作部７００のチャンスボタン１３６は、第１〜第３の複数の態様となり、
該複数の態様の一つに第２の態様があり、
該複数の態様の一つに第３の態様があ」る、ことが記載されているといえる。
（え）上記イで認定したとおり、図４９からは、図４９（ｄ）の段階でチャンスボタン１３６は発光＋振動の「第２の態様」であり、装飾図柄表示装置２０８には設定操作部１３９の画像と「連打せよ！」の文字列とが表示され、図４９（ｈ）の段階でチャンスボタン１３６は発光＋振動＋回転の「第３の態様」であり、装飾図柄表示装置２０８には番長３（図２８（ｃ））の画像と「連打せよ！」の文字列とが表示されていること、及び、「連打せよ！」の文字列及び設定操作部１３９からなる図４９（ｄ）の段階の画像と、共通する「連打せよ！」の文字列及び「番長３」の画像からなる図４９（ｈ）の段階の画像とでは、後者の方が大きいこと、を読み取ることができる。（以下「記載事項え１」という。）
　ここで、「番長３」の画像については、上記【０３７８】に「表示３に対応する「番長３」」なる記載があり、該「表示３」については上記【０３８４】に「チャンスボタン１３６の態様「１−２」に対応する演出表示予告の予告態様は、表示１から表示２に変化することを示す「１−２」、表示２を示す「２」および表示２から表示３に変化することを示す「２−３」の３つに区分されている。また、チャンスボタン１３６の態様「２」に対応する演出表示予告の予告態様は、表示２を示す「２」および表示２から表示３に変化することを示す「２−３」の２つに区分されている。また、チャンスボタン１３６の態様「２−３」に対応する演出表示予告の予告態様は、表示２を示す「２」および表示２から表示３に変化することを示す「２−３」の２つに区分されている。さらに、
チャンスボタン１３６の態様「３」に対応する演出表示予告の予告態様は、表示３を示す「３」が対応付けられており、複数に区分に分されていない
　また、上記【０５７８】〜【０５８６】には「
図４９（ａ）乃至図４９（ｈ）はこの順に
時系列で
「装飾図柄表示装置での演出態様」としての「リーチＡはずれ」と通常予告演出としての「ボタン系」
　このことから、前記図４９（ａ）〜（ｈ）は、「「装飾図柄表示装置での演出態様」としての「リーチＡはずれ」と通常予告演出としての「ボタン系」」なるひとつの演出を実行する際に、「図４９（ａ）乃至図４９（ｈ）はこの順に、・・・時系列で」実行される、装飾図柄表示装置２０８と、操作部７００のチャンスボタン１３６及び設定操作部１３９との演出状態を示すものであるといえる。（以下「記載事項え２」という。）
　
　よって、前記記載事項え１、え２から、刊行物２には、
「装飾図柄表示装置２０８における操作要求演出として、操作部７００の設定操作部１３９の画像や「連打せよ！」の文字列を含む画像が表示される演出態様があり、
前記演出態様には、操作部７００の設定操作部１３９を表した画像と「連打せよ！」という文字画像とが表示される一つの演出態様と、
「番長３」のキャラクタ画像と「連打せよ！」という文字画像とが表示される他の一つの演出態様との複数の演出態様があり、
前記一つの演出態様は操作部７００のチャンスボタン１３６の態様が第２の態様である発光＋振動状態である場合に表示され、
前記他の一つの演出態様は、操作部７００のチャンスボタン１３６が第３の態様である発光＋振動＋回転状態に変化する場合に表示され、
前記一つの演出態様よりも、前記他の一つの演出態様の方が大きい表示である」
ことが記載されているといえる。
エ　上記アの各記載事項、上記イ・ウの認定事項から、刊行物２には次の発明（以下「刊行物２発明」という。）が記載されていると認められる（（あ）などは、関連する上記ウの各項を示す。）。
「ａ２　操作者の操作によって各種演出装置２０６の演出態様に変化を与えるチャンスボタン１３６と、設定操作部１３９と、チャンスボタン１３６や設定操作部１３９が設けられた操作部７００と、（あ）
ｂ２　装飾図柄ならびに演出に用いる様々な表示を行うための表示装置である装飾図柄表示装置２０８を備えたパチンコ機であって、（い）
ｃ２　操作部７００のチャンスボタン１３６は、第１〜第３の複数の態様となり、（う）
ｄ２　該複数の態様の一つに第２の態様があり、（う）
ｅ２　該複数の態様の一つに第３の態様があり、（う）
ｆ２　装飾図柄表示装置２０８における操作要求演出として、操作部７００の設定操作部１３９の画像や「連打せよ！」の文字列を含む画像が表示される演出態様があり、（え）
ｊ２　前記演出態様には、操作部７００の設定操作部１３９を表した画像と「連打せよ！」という文字画像とが表示される一つの演出態様と、
　「番長３」のキャラクタ画像と「連打せよ！」という文字画像とが表示される他の一つの演出態様との複数の演出態様があり、（え）
ｍ２　前記一つの演出態様は操作部７００のチャンスボタン１３６の態様が第２の態様である発光＋振動状態である場合に表示され、（え）
ｎ２　前記他の一つの演出態様は、操作部７００のチャンスボタン１３６が第３の態様である発光＋振動＋回転状態に変化する場合に表示され、（え）
ｏ２　前記一つの演出態様よりも、前記他の一つの演出態様の方が大きい表示である、（え）
ｓ２　パチンコ機。（い）」
４．本願発明と刊行物２発明との対比・判断
（１）刊行物２発明の構成ａ２の「操作者の操作によって各種演出装置２０６の演出態様に変化を与えるチャンスボタン１３６と、設定操作部１３９と、チャンスボタン１３６や設定操作部１３９が設けられた操作部７００」は、「操作者の操作」の対象となる要素であるから、その設置部位が本願発明の構成Ａ２の「遊技者が操作可能な位置」に相当する部位であることが明らかであるといえる。
　また、前記構成ａ２の「チャンスボタン１３６と、設定操作部１３９と、チャンスボタン１３６や設定操作部１３９が設けられた操作部７００」は前記構成Ａ２の「操作手段」に相当する。
　よって、前記構成ａ２の「操作者の操作によって各種演出装置２０６の演出態様に変化を与えるチャンスボタン１３６と、設定操作部１３９と、チャンスボタン１３６や設定操作部１３９が設けられた操作部７００」は、前記構成Ａ２の「遊技者が操作可能な位置に設けられた操作手段」に相当する。
（２）刊行物２発明の構成ｂ２、ｓ２の「装飾図柄ならびに演出に用いる様々な表示」、「装飾図柄表示装置２０８」、「パチンコ機」は、それぞれ、本願発明の構成Ｂ２、Ｓ２の「複数の表示」、「表示手段」、「遊技台」に相当する。
　よって、前記構成ｂ２、ｓ２の「装飾図柄ならびに演出に用いる様々な表示を行うための表示装置である装飾図柄表示装置２０８を備えたパチンコ機」、「パチンコ機」は、それぞれ、前記構成Ｂ２、Ｓ２の「複数の表示を表示可能な表示手段と、を備えた遊技台」、「遊技台」に相当する
（３）刊行物２発明の構成の構成ｃ２の「操作部７００のチャンスボタン１３６」は、刊行物２発明の構成ａ２の「操作者の操作によって各種演出装置２０６の演出態様に変化を与えるチャンスボタン１３６と、設定操作部１３９と、チャンスボタン１３６や設定操作部１３９が設けられた操作部７００」に含まれるから、上記（１）で認定したとおり、本願発明の構成Ｃ２の「操作手段」に相当するといえる。
　また、前記構成ｃ２の「第１〜第３の複数の態様」は前記構成Ｃ２の「複数の状態」に相当する。
　よって、前記構成ｃ２の「操作部７００のチャンスボタン１３６は、第１〜第３の複数の態様とな」ることは、前記構成Ｃ２の「前記操作手段は、複数の状態となることが可能とされ」ることに相当する。
（４）刊行物２発明の構成ｄ２〜ｅ２の「第２の態様」、「第３の態様」は、それぞれ、本願発明の構成Ｄ２〜Ｅ２の「第一の状態」、「第二の状態」に相当する。
　よって、前記構成ｄ２〜ｅ２の
「該複数の態様の一つに第２の態様があり、
　該複数の態様の一つに第３の態様があり」
は、前記構成Ｄ２〜Ｅ２の
「前記複数の状態のうちの一つは、第一の状態であり、
　前記複数の状態のうちの一つは、第二の状態であり、」
に相当する。
（５）刊行物２発明の構成ｆ２の「装飾図柄表示装置２０８における操作要求演出として、操作部７００の設定操作部１３９の画像や「連打せよ！」の文字列を含む画像が表示される演出態様」は、装飾図柄表示装置２０８に対して行われる表示であるから、同構成ｂ２で「装飾図柄表示装置２０８」が行うとする「装飾図柄ならびに演出に用いる様々な表示」のうちの一つであり、本願発明の構成Ｆ２の「前記複数の表示のうちの一つ」に相当するといえる。
　また、前記ｆ２の「・・・演出態様」は、「操作部の設定操作部１３９の画像や「連打せよ！」の文字列」を含むのであるから、「操作部７００」すなわち上記構成ａ２の「チャンスボタン１３６や設定操作部１３９が設けられた操作部７００」に関する表示であるといえ、よって、本願発明の構成Ｇ２の「操作手段に関する表示」に相当する。
　したがって、前記構成ｆ２の「装飾図柄表示装置２０８における操作要求演出として、操作部７００の設定操作部１３９の画像や「連打せよ！」の文字列を含む画像が表示される演出態様があり」は、前記構成Ｆ２〜Ｇ２の
「前記複数の表示のうちの一つは、第一の表示であり、
　前記第一の表示は、前記操作手段に関する表示であり」
に相当する。
（６）刊行物２発明の構成ｊ２の「操作部７００の設定操作部１３９を表した画像と「連打せよ！」という文字画像とが表示される一つの演出態様」は、同構成ｍ２で「操作部７００のチャンスボタン１３６の態様が第２の態様である発光＋振動状態である場合に表示され」るものであると特定されており、さらに、該「第２の態様」が本願発明の「第一の状態」に相当するとの上記（４）の認定に基づけば、本願発明の構成Ｋ２、Ｍ２の「第一の態様」に相当するといえる。
　また、刊行物２発明の構成ｊ２の「「番長３」のキャラクタ画像と「連打せよ！」という文字画像とが表示される他の一つの演出態様」は、同構成ｎ２で「操作部７００のチャンスボタン１３６が第３の態様である発光＋振動＋回転状態に変化する場合に表示され」るものであると特定されているから、該「第３の態様」が本願発明の「第二の状態」に相当するとの上記（４）の認定に基づけば、本願発明の構成Ｌ２、Ｎ２の「第二の態様」に相当するといえる。
　そして、前記構成ｊ２の「前記演出態様」には前記のとおり「・・・一つの演出態様」と「・・・他の一つの演出態様」との２つが含まれることは、前記構成Ｊ２の「複数の態様で表示可能」であることに相当するといえる。
　以上のとおりであるから、前記構成ｊ２〜ｎ２の
「前記演出態様には、操作部７００の設定操作部１３９を表した画像と「連打せよ！」という文字画像とが表示される一つの演出態様と、
　「番長３」のキャラクタ画像と「連打せよ！」という文字画像とが表示される他の一つの演出態様との複数の演出態様があり、
　前記一つの演出態様は操作部７００のチャンスボタン１３６の態様が第２の態様である発光＋振動状態である場合に表示され、
　前記他の一つの演出態様は、操作部７００のチャンスボタン１３６が第３の態様である発光＋振動＋回転状態に変化する場合に表示され、」
は、前記構成Ｊ２〜Ｎ２の
「前記第一の表示は、複数の態様で表示可能とされ、
　前記複数の態様のうちの一つは、第一の態様であり、
　前記複数の態様のうちの一つは、第四の態様であり、
　前記第一の態様は、前記第一の状態に応じた態様であり、
　前記第四の態様は、前記第二の状態に応じた態様であり、」
に相当する。
（７）上記（６）の相当関係から、刊行物２発明の構成ｏ２の「前記一つの演出態様よりも、前記他の一つの演出態様の方が大きい表示であり」が本願発明の構成Ｏ２の「前記第四の態様による前記第一の表示は、前記第一の態様による前記第一の表示よりも大きい表示であり」に相当することは明らかである。
（８）上記（１）〜（７）によれば、本願発明と刊行物２発明とは、下記アの点で一致し、両者の間に相違点は存在しない。
「Ａ２　遊技者が操作可能な位置に設けられた操作手段と、
Ｂ２　複数の表示を表示可能な表示手段と、を備えた遊技台であって、
Ｃ２　前記操作手段は、複数の状態となることが可能とされ、
Ｄ２　前記複数の状態のうちの一つは、第一の状態であり、
Ｅ２　前記複数の状態のうちの一つは、第二の状態であり、
Ｆ２　前記複数の表示のうちの一つは、第一の表示であり、
Ｇ２　前記第一の表示は、前記操作手段に関する表示であり、
Ｊ２　前記第一の表示は、複数の態様で表示可能とされ、
Ｋ２　前記複数の態様のうちの一つは、第一の態様であり、
Ｌ２　前記複数の態様のうちの一つは、第四の態様であり、
Ｍ２　前記第一の態様は、前記第一の状態に応じた態様であり、
Ｎ２　前記第四の態様は、前記第二の状態に応じた態様であり、
Ｏ２　前記第四の態様による前記第一の表示は、前記第一の態様による前記第一の表示よりも大きい表示であり、
Ｓ２　ことを特徴とする遊技台。」
　よって、本願発明は刊行物２発明と同一であるから、本願発明は特許法第２９条第１項第３号に該当し、特許を受けることができない。
　ところで、上記対比では、構成Ｇ２で「第一の表示」が「前記操作手段に関する表示」と特定されていることから、「第一の表示」には、操作手段自体の画像のほか、操作手段の操作を促す表示も含まれると解釈できるので、該解釈に基づき、構成Ｏ２について、平成２８年８月９日付け拒絶理由通知において引用した上記刊行物２の図４９に関する実施例をもとに刊行物２発明との一致点としたものである。
　この点について、仮に、前記「第一の表示」が操作手段自体の画像に限られると限定解釈できるとした場合について、念のため以下に検討する。
　刊行物２には、操作手段自体の画像の拡大・縮小表示とボタンの状態との関係について明確な開示がないため、刊行物２発明が構成Ｏ２を備えるか明確でない点が一応の相違点となる。
　しかし、刊行物２には、前記図４９に対応する実施例以外にも、図４３（ｈ）と、これに対応して【０５３７】に「図４３（ｈ）に示すように、操作要求演出において、チャンスボタン１３６を表した画像が拡大と縮小とを繰り返して表示されてチャンスボタン１３６が押下されているような動画像が演出表示領域２０８ｄに表示されてもよい。」なる記載があるし、本願出願日前に公開された刊行物である特開２０１４−４１９３号公報（【０４４７】、図４０）にも、ボタンを拡大画像で表示してボタンを押すことに期待感を抱かせる演出について記載があるとおり、遊技機の分野において、いわゆる「ボタン演出」を実行する際に、ボタンに注目させたりその操作を促したりするなどの目的で装飾図柄表示装置上のボタン画像を適時に拡大表示するようなことは、周知の演出上の技法に過ぎない。
　そして、通常の静的で相対的に小さなボタン画像による操作要求演出よりも、ボタン画像が動的または静的に拡大される操作要求演出の方が、ボタン操作に対する遊技者の注目を引き得る場合があることは明らかであるし、ボタンの状態も、単に発光や振動しているだけの状態より、発光、振動、回転が組み合わさった状態の方がボタン操作に対する遊技者の注目を引き得る場合があることもまた明らかであるから、刊行物２発明において、より強く遊技者にボタン操作を促す局面に、ボタンを発光、振動、回転が組み合わさった状態とすると共に、前記周知のボタン画像を拡大表示する演出を組み合わせて実行することを当業者が想起する動機付けは充分にあるといえる。
　また、本願発明により奏される効果は、当業者が、刊行物２発明及び周知の技術事項から予測し得た範囲内のものであって、格別のものではない。 
　よって、刊行物２発明において、刊行物２に記載された事項や周知技術にもとづいて前記一応の相違点の構成とすることは、当業者が容易に想到し得たことである。
５．むすび 
　以上のとおり、本願発明は、刊行物２に記載された発明であり、特許法第２９条第１項第３号に該当し、特許を受けることができないものである。
　また、仮に相違点が存在するとしても、微差であるか、周知技術にもとづいて当業者が容易に想到し得た程度のものであるから、特許法第２９条第２項の規定により、特許を受けることができないものである。 
　したがって、その余の請求項に係る発明について論及するまでもなく、本願は拒絶すべきものである。 
　よって、結論のとおり審決する。